(57)【要約】【課題】短時間で睫毛エクステンションを行う。【解決手段】人工毛を睫毛に取り付けることで睫毛が延びたように見せる睫毛エクステンション方法において、特定波長の光の照射によって硬化が促進される光硬化剤を含んだグルーを、人工毛に塗布する塗布工程Ｓ１と、塗布したグルーが睫毛に付着するように人工毛を睫毛に沿って睫毛に載せる載置工程Ｓ２と、人工毛が睫毛に載せられた状態でグルーに対し、特定波長をピーク波長とする光照射器により光照射することで光硬化剤を硬化させて睫毛に人工毛を装着する光照射工程Ｓ３と、を備えている。【選択図】図１
2011087658.tif 000002
【特許請求の範囲】
【請求項１】
人工毛を睫毛に取り付けることで睫毛が延びたように見せる睫毛エクステンション方法において、
特定波長の光の照射によって硬化が促進される光硬化剤を含んだグルーを、前記人工毛に塗布する塗布工程と、
塗布した前記グルーが前記睫毛に付着するように前記人工毛を前記睫毛に沿って前記睫毛に載せる載置工程と、
前記人工毛が前記睫毛に載せられた状態で前記グルーに対し、前記特定波長をピーク波長とする光照射器により光照射することで前記光硬化剤を硬化させて前記睫毛に前記人工毛を装着する光照射工程と、を備えている、
ことを特徴とする睫毛エクステンション方法。
【請求項２】
前記特定波長が、３６５〜４１０ｎｍである、
ことを特徴とする請求項１に記載の睫毛エクステンション方法。
【請求項３】
前記特定波長が、４００〜４１０ｎｍである、
ことを特徴とする請求項２に記載の睫毛エクステンション方法。
【請求項４】
前記グルーは、前記人工毛に塗布されて前記人工毛が前記睫毛に載せられた状態において、前記人工毛の姿勢を維持する粘度を有する、
ことを特徴とする請求項１ないし３のいずれか１項に記載の睫毛エクステンション方法。
【請求項５】
前記グルーは、チタンブラックを含む、
ことを特徴とする請求項１ないし４のいずれか１項に記載の睫毛エクステンション方法。
【請求項６】
前記光照射器は、前期睫毛の配列方向に倣って配列された複数のＬＥＤを有していて、前記複数のＬＥＤにより、周囲から前記グルーに光照射する、
ことを特徴とする請求項１ないし５のいずれか１項に記載の睫毛エクステンション方法。
【請求項７】
前記ＬＥＤは、それぞれ集光レンズが取り付けられている、
ことを特徴とする請求項６に記載の睫毛エクステンション方法。
【請求項８】
前記光照射器は、ハンズフリーである、
ことを特徴とする請求項１ないし７のいずれか１項に記載の睫毛エクステンション方法。
【請求項９】
前記光照射器は、スイッチングを足元で行う、
ことを特徴とする請求項１ないし８のいずれか１項に記載の睫毛エクステンション方法。
【請求項１０】
１本の前記人工毛に前記グルーを塗布して１本の前記睫毛に前記人工毛を載せるごとに、前記グルーに対して前記光照射器により光照射を行う、
ことを特徴とする請求項１ないし９のいずれか１項に記載の睫毛エクステンション方法。
【請求項１１】
光硬化剤を含み、睫毛と人工毛とを接続するグルーを硬化させる光照射器において、
３６５〜４１０ｎｍの波長をピーク波長する複数のＬＥＤと、
睫毛の配列方向に倣って湾曲して形成されるとともに前記複数のＬＥＤを内側に向けて保持する保持部材と、を備える、
ことを特徴とする光照射器。
【請求項１２】
前記ピーク波長が４００〜４１０である、
ことを特徴とする請求項１１に記載の光照射器。
【請求項１３】
前記ＬＥＤは、集光レンズが取り付けられている、
ことを特徴とする請求項１２に記載の光照射器。
【請求項１４】
前記保持部材を支持する支持部材を備える、
ことを特徴とする請求項１１ないし１３のいずれか１項に記載の光照射器。
【請求項１５】
足で操作するスイッチを有する、
ことを特徴とする請求項１４に記載の光照射器。
【発明の詳細な説明】
【技術分野】
【０００１】
本発明は、睫毛に人工毛を装着する睫毛エクステンション方法、及びこれに使用する光照射器に関する。
【背景技術】
【０００２】
従来、睫毛に施術して目元をきれいに見せる方法として、睫毛パーマ、付け睫毛、睫毛エクステンション等が考案され、また、実施されている。
【０００３】
このうち、睫毛パーマ（例えば、特許文献１参照）は、頭髪と同様のパーマを睫毛に施すものであり、カールさせることで睫毛にボリューム感を持たせるとともに、下向きの睫毛を上に向けることで表情を明るく見せることができる。
【０００４】
また、付け睫毛（例えば、特許文献１参照）は、ワイヤ状の本体に多数の人工毛を並べて配置したものであり、本体を専用のグルー（接着剤）によってまぶたに貼り付けるものである。付け睫毛は、一般に、個人によって施術される。
【０００５】
そして、睫毛エクステンションは、１本の睫毛に１本の人工毛をグローで貼り付けるものであり、睫毛の長さや、ボリューム、カール、カラーなどを自分の好みで選択でき、また、違和感なく見せることができ、さらに長持ちするといった利点がある。
【先行技術文献】
【特許文献】
【０００６】
【特許文献１】特開２００５−２３７６２８号公報
【特許文献２】特開２００８−２９７６９０号公報
【発明の概要】
【発明が解決しようとする課題】
【０００７】
しかしながら、睫毛パーマは、睫毛を痛めるという問題があった。
【０００８】
また、付け睫毛は、まぶたに接着した本体が不自然に見え、また本体の特に両端部が剥がれやすいとい問題があった。
【０００９】
そして、睫毛エクステンションは、睫毛を痛める、不自然に見える、本体が剥がれやすい等の問題はないものの、施術に時間がかかるという問題があった。すなわち、日本人の平均的な睫毛の本数は、片目で１００本程度とされており、例えば、そのうちの３０本程度に１本ずつグルーで睫毛エクステンションを施術したとして、グルーが、睫毛から人工毛とが取れない程度に固まるのに時間がかかるため、全体の施術に数十分単位の時間がかかるという問題があった。
【００１０】
そこで、本発明は、従来の睫毛エクステンションの利点を維持しつつ、さらに、従来の睫毛エクステンションの、施術に時間がかかるといった欠点をなくした新規の睫毛エクステンション方法を提供することを目的とするものである。
【課題を解決するための手段】
【００１１】
請求項１に係る発明は、人工毛を睫毛に取り付けることで睫毛が延びたように見せる睫毛エクステンション方法に関する。この発明に係る睫毛エクステンション方法は、特定波長の光の照射によって硬化が促進される光硬化剤を含んだグルーを、前記人工毛に塗布する塗布工程と、塗布した前記グルーが前記睫毛に付着するように前記人工毛を前記睫毛に沿って前記睫毛に載せる載置工程と、前記人工毛が前記睫毛に載せられた状態で前記グルーに対し、前記特定波長をピーク波長とする光照射器により光照射することで前記光硬化剤を硬化させて前記睫毛に前記人工毛を装着する光照射工程と、を備えている、ことを特徴とする。
【００１２】
請求項２に係る発明は、請求項１に係る睫毛エクステンション方法において、前記特定波長が、３６５〜４１０ｎｍである、ことを特徴とする。
【００１３】
請求項３に係る発明は、請求項２に係る睫毛エクステンション方法において、前記特定波長が、４００〜４１０ｎｍである、ことを特徴とする。
【００１４】
請求項４に係る発明は、請求項１ないし３のいずれか１項に係る睫毛エクステンション方法において、前記グルーは、前記人工毛に塗布されて前記人工毛が前記睫毛に載せられた状態において、前記人工毛の姿勢を維持する粘度を有する、ことを特徴とする。
【００１５】
請求項５に係る発明は、請求項１ないし４のいずれか１項に係る睫毛エクステンション方法において、前記グルーは、チタンブラックを含む、ことを特徴とする。
【００１６】
請求項６に係る発明は、請求項１ないし５のいずれか１項に係る睫毛エクステンション方法において、前記光照射器は、前記睫毛の配列方向に倣って配設された複数のＬＥＤを有していて、前記複数のＬＥＤにより、周囲から前記グルーに光照射する、ことを特徴とする。
【００１７】
請求項７に係る発明は、請求項６に係る睫毛エクステンション方法において、前記ＬＥＤは、それぞれ集光レンズが取り付けられている、ことを特徴とする。
【００１８】
請求項８に係る発明は、請求項１ないし７のいずれか１項に係る睫毛エクステンション方法において、前記光照射器は、ハンズフリーである、ことを特徴とする。
【００１９】
請求項９に係る発明は、請求項１ないし８のいずれか１項に係る睫毛エクステンション方法において、前記光照射器は、スイッチングを足元で行う、ことを特徴とする。
【００２０】
請求項１０に係る発明は、請求項１ないし９のいずれか１項に係る睫毛エクステンション方法において、１本の前記人工毛に前記グルーを塗布して１本の前記睫毛に前記人工毛を載せるごとに、前記グルーに対して前記光照射器により光照射を行う、ことを特徴とする。
【００２１】
請求項１１に係る発明は、光硬化剤を含み、睫毛と人工毛とを接続するグルーを硬化させる光照射器に関する。この発明に係る光照射器は、３６５〜４１０ｎｍの波長をピーク波長する複数のＬＥＤと、睫毛の配列方向に倣って湾曲して形成されるとともに前記複数のＬＥＤを内側に向けて保持する保持部材と、を備える、ことを特徴とする。
【００２２】
請求項１２に係る発明は、請求項１１に係る光照射器において、前記ピーク波長が４００〜４１０である、ことを特徴とする。
【００２３】
請求項１３に係る発明は、請求項１２に係る光照射器において、前記ＬＥＤは、集光レンズが取り付けられている、ことを特徴とする。
【００２４】
請求項１４に係る発明は、請求項１１ないし１３のいずれか１項に係る光照射器において、前記保持部材を支持する支持部材を備える、ことを特徴とする。
【００２５】
請求項１５に係る発明は、請求項１４に係る光照射器において、足で操作するスイッチを有する、ことを特徴とする。
【発明の効果】
【００２６】
請求項１の発明によれば、睫毛に塗布されて人工毛が付着された状態のグルーに対し、特定波長をピーク波長とする光照射器により光照射することで光硬化剤を硬化させて睫毛に人工毛を固定することができる。この際、光照射器は、光硬化剤の効果が促進される特定波長の光をピーク波長として光照射するので、短時間で光硬化剤を硬化させて、グルーを固化することができる。
【００２７】
請求項２に発明によれば、特定波長は、３６５〜４１０ｎｍであり、このうち３６５〜４００ｎｍは紫外線の中でもＵＶＡ（３１５〜４００ｎｍ）の範囲内であって、人体に対する影響がほとんどない。
【００２８】
請求項３の発明によれば、特定波長は、４００〜４１０ｎｍの可視光の範囲内であるので、さらに、人体に対する影響が少なくなる。
【００２９】
請求項４の発明によれば、人工毛にグルーを付けて睫毛に載せた場合に、人工毛はその姿勢を保持するので、光照射器によってグルーを固化させる際には、人工毛を保持しておく必要がなく、作業性が向上する。
【００３０】
請求項５の発明によれば、睫毛と人工毛との間に介在するグルーが黒く見えるので、透明や他の色の場合と比較して違和感が少ない。
【００３１】
請求項６の発明によれば、複数のＬＥＤにより効率よくグルーに光を照射することができる。
【００３２】
請求項７の発明によれば、ＬＥＤに集光レンズが取り付けられているので、さらに効率よくグルーを光照射することができる。
【００３３】
請求項８の発明によれば、光照射器がハンズフリーであるので、例えば、人工毛を把持するピンセットと光照射器とをもちかえる必要がなく、ピンセットを常時把持しておくことができるので、作業効率が向上する。
【００３４】
請求項９の発明によれば、照射器のスイッチングを足元で行うことができるので、スイッチングを手で行う必要がなく、さらに作業性が向上する。
【００３５】
請求項１０の発明によれば、１本の睫毛に対して１本の人工毛を確実に固化させていくことができる。
【００３６】
請求項１１の発明によれば、複数のＬＥＤが睫毛の配列方向に倣って湾曲した保持部材の内側に保持されているので、これらＬＥＤから光照射することにより、効率よく短時間でグルーの光硬化剤を硬化させて、睫毛に人工毛を固定することができる。
【００３７】
請求項１２の発明によれば、ＬＥＤのピーク波長が４００〜４１０ｎｍの可視光であるので、人体に対する影響が少ない。
【００３８】
請求項１３の発明によれば、集光レンズにより、ＬＥＤからの光を集光して、さらに効率よく光硬化剤を硬化させることができる。
【００３９】
請求項１４の発明によれば、保持部材により、ハンドフリーとすることができるので、作業性が向上する。
【００４０】
請求項１５の発明によれば、手でスイッチングする必要がないので、さらに作業性が向上する。
【図面の簡単な説明】
【００４１】
【図１】睫毛エクステンション方法の流れを説明するブロック図である。
【図２】前工程Ｓ０を説明する図であり、（Ａ）及び（Ｂ）はテーピングを、また（Ｃ）はマスキングを説明する図である。
【図３】（Ａ）は塗布工程Ｓ１を説明する図であり、（Ｂ）は載置工程Ｓ２を説明する図である。
【図４】光照射器３０及び光照射工程Ｓ３を説明する図であり、（Ａ）は光照射器３０の正面図、（Ｂ）は下面図、（Ｃ）は右側面図である。
【発明を実施するための形態】
【００４２】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００４３】
以下、図面を参照して本発明の実施形態について説明する。
＜実施形態１＞
【００４４】
図１〜図４を参照して、本発明を適用した睫毛エクステンション方法、及び光照射器３０について説明する。このうち、図１は、睫毛エクステンション方法の流れを説明するブロック図である。図２は前工程Ｓ０を説明する図であり、（Ａ）及び（Ｂ）はテーピングを、また（Ｃ）はマスキングを説明する図である。図３（Ａ）は塗布工程Ｓを説明する図であり、（Ｂ）は載置工程Ｓ２を説明する図である。図４は光照射器３０及び光照射工程Ｓ３を説明する図であり、（Ａ）は光照射器３０の正面図、（Ｂ）は下面図、（Ｃ）は右側面図である。
【００４５】
図１に示すように、睫毛エクステンション方法は、塗布工程Ｓ１と、載置工程Ｓ２と、光照射工程Ｓ３とを備えており、さらに、塗布工程Ｓ１の前には、前工程Ｓ０があり、光照射工程Ｓ３の後には後工程Ｓ４がある。
【００４６】
前工程Ｓ０では、テーピングと保護マスクＫの装着が行われる。
【００４７】
ここで、睫毛エクステンションを施す者を施術者、施される者を被施術者とすると、前者の施術者は、例えば、睫毛エクステンションについての専門の講習を修了した、美容院等の従業員がこれに該当する。
【００４８】
被施術者は、美容院のシートに着座し、背もたれが倒されることにより、上向きに寝た状態で施術（睫毛エクステンション）を受ける。
【００４９】
施術者は、まず、被施術者の目の周りの汚れや脂分を取り除く。つづいて、図２（Ａ）に示すように被施術者の下の瞼にテープＴ１を貼り、さらに、目尻と目頭とにテープＴ２を貼る。そして、被施術者の顔に、図２（Ｃ）示す目、鼻、口の部分が開口された保護マスクＫを付ける。このように、テーピングやマスキングを行うことで、施術中に目が開きにくくし、また、顔の不要な部分に後述するグルー（接着剤）２０が付着したり、光が照射されたりすることを防止する。
【００５０】
塗布工程Ｓ１は、人工毛１０にグルー２０を塗布する工程である。
【００５１】
図３（Ａ）に示すように、施術者は、容器（不図示）から皿Ｓに少量のグルー２０を取り出す。施術者は、一方の手（例えば、右手）でピンセットＰを持って、人工毛１０の先端部１１を摘み、人工毛１０の基端部１２を皿Ｓ上のグルー２０の表面に軽く接触させて、先端部１２に極少量のグルー２０を付着させる。このときのグルー２０の付着長さＬは、施術者の睫毛Ｍ（Ｍ１，Ｍ２，Ｍ３）の長さと略同じにする。つまり、睫毛Ｍの全長にわたってグルー２０がいきわたるようにする。
【００５２】
ここで、人工毛１０としては、ナイロン，シルク，ガラス，ポリカーボネイト，プラスチック，アクリル等の素材でできたものを使用することができるが、一般的には、ナイロン製のものが多数流通していて、入手が容易であり、好適に使用することができる。また、人工毛１０は、長さ，太さ，形状（例えば、カールの度合い），色等については、種々のものが市販されており、被施術者は、自分の好みに合った適宜なものを選択することができる。
【００５３】
これに対し、グルー２０は、本実施形態では、一般的な従来のグルーとは異なり、光硬化剤を含んだ光硬化型の接着剤を使用している。光硬化型の接着剤は、一般に、光硬化性のモノマー及びオリゴマー、又は光重合触媒として光開始剤及び増感剤その他増粘剤、チキソ化剤、染料、顔料などから構成され、構成成分の一つである光重合触媒がどの波長の光によって感光するかによって、可視光線硬化型と紫外線硬化型とに区分される。本実施形態では、波長が３６５〜４１０ｎｍの特定波長によって硬化が促進されるものを使用しており、このうち波長が３６５〜４００ｎｍのものは紫外線硬化型に分類され、４００〜４１０ｎｍのものは可視光線硬化型に分類される。波長が３６５〜４００ｎｍの紫外線は、紫外線のうちでも人体に対する悪影響がほとんどないＵＶＡに分類されるが、本実施形態では、紫外線でない、波長が４００〜４１０ｎｍの可視光線硬化型のグルー２０を使用することが特に好ましい。なお、グルー２０の製造にあたり、４００〜４１０ｎｍのうち、どの数値を目標とするかは、後述する光照射器３０のＬＥＤ３１の固有のピーク波長に合わせるものとする。ちなみに、本実施形態では、ＬＥＤ３１は、ピーク波長が４０５ｎｍのものを使用するので、グルー２０としては、光重合触媒が４０５ｎｍの波長で感光するようにしている。
【００５４】
本実施形態におけるグルー２０としては、上述のように人工毛１０の基端部１２に長さＬで極少量付着させたときに、液垂れしない粘度を有していることが好ましい。
【００５５】
ここで、従来のグルーは、図３（Ａ）に示す皿Ｓに取りだした場合には、常温，常湿で硬化を開始してしまう。このため、数十分の時間を要する従来の施術においては、全体で使用する量を一度に取り出した場合には、施術後半でグルーを使用する際には、既にある程度固化しているため、使用できなくなるおそれがある。このため、従来は、直近で使用する量（例えば、人工毛１０の数本に使用する量）ずつ容器から取り出すことが必要となる。また、容器についてもグルーを取り出すごとに、蓋を開け閉めするといった煩雑な作業を伴う。これに対して、本実施形態のグルー２０は、特定波長の光を照射しない限り、ほとんど硬化を開始しないので、施術全体に要する時間が数分程度と短いこともあり、施術全体で必要な量のグルー２０を容器から取り出しておいても、ほとんど硬化するおそれがなく、接着力が低下するようなことなない。
【００５６】
なお、グルー２０は、上述のものに限定されず、光硬化剤を含んでいて、特定波長の光で短時間（数秒程度）で全体が固化するものであれば、他のものを使用することもできる。
【００５７】
載置工程Ｓ２は、上述の塗布工程Ｓ１でグルー２０が付着された人工毛１０を、睫毛Ｍに載せる工程である。
【００５８】
施術者は、上述の塗布工程Ｓ１が終了したままの状態で、すなわち、基端部１２に極少量のグルー２０が付着された人工毛１０の先端部１１を、右手に持ったピンセットＰでつまんだ状態で、左手に別のピンセット（不図示）を持ち、このピンセットＰで人工毛１０を付ける睫毛Ｍ１（図３（Ｂ）参照）の左右両側の睫毛Ｍ２，Ｍ３をそれぞれ外側に開いて、睫毛Ｍ１近傍のスペースを空け、長さＬのグルー２０全体が睫毛Ｍ１の上面に付着するようにして、人工毛１０の基端部１２を睫毛Ｍ１の上に軽く乗せる。このとき、人工毛１０の基端が、睫毛Ｍ１の基端と一致するようにし、かつ、人工毛１０の向きが、睫毛Ｍ１の向きと一致するようにする。また、グルー２０は、睫毛Ｍ１の上にグルー２０を介して人工毛１０を載せた際に、人工毛１０が載せたときの姿勢を維持するような粘度を有しているものとする。つまり、人工毛１０の先端部１１をピンセットＰから離した状態でも、人工毛１０は、グルー２０の粘度によってそのままの姿勢を保持するようになっている。
【００５９】
光照射工程Ｓ３は、光照射器３０によって、グルー２０に光を当てて固化させるものである。
【００６０】
本実施形態では、１本の睫毛Ｍに対して、載置工程Ｓ２を行うごとに、光照射工程Ｓ３を行うようにして、人工毛１０を睫毛Ｍに確実に装着するようにしている。
【００６１】
光照射器３０は、図４（Ａ），（Ｂ），（Ｃ）に示すように、複数のＬＥＤ３１（図示例では５個）と、これを保持する保持部材３２とを備えている。保持部材３２は、長板状の部材を湾曲させることで形成されていて、少なくとも内面３２ａは、睫毛Ｍの配列方向に倣って湾曲して形成されている。また、内面３２ａは反射率が高くなるように仕上げられている。保持部材３２は、その両端がアーム３３によって、図４（Ｃ）中の矢印方向に回転自在に支持されている。保持部材３２の両端部には、外側に向けて雄ねじ部３２ｂが突設されている。この雄ねじ部３２ｂは、アーム３３の両端部３３ａに穿設された透孔（不図示）を貫通し、その先端には蝶ナット３４が螺合されている。この蝶ナット３４を緩めて、アーム３３に対して保持部材３２を適宜な位置に回転させ、その後、蝶ナット３４を締めることにより、保持部材３２を睫毛Ｍに対して好適な位置に配置することができる。さらに、アーム３３には、自在継ぎ手３５を介して、支持部材３６が連結されている。この支持部材３６の基端側（不図示）は、被施術者が座っているシートの一部（例えば、ひじ掛け）に取り付けられている。
【００６２】
ＬＥＤ３１は、そのピーク波長が３６５〜４１０ｎｍのもの、さらに好ましくは４００〜４１０ｎｍのものが使用されている。本実施形態では、具体的には、ピーク波長が４０５ｎｍのものが採用されている。ＬＥＤ３１は、保持部材３２の内面３２ａのカーブに沿って複数のもの（図示例では５個）が取り付けられていて、効率よく睫毛Ｍを照射することができる。ＬＥＤ３１は、小型で、特定波長の光を発生することができ、かつ指向性が強いので、本実施形態に使用するには好適であるが、１個ではグルー２０を固化するのに必要な光量を得ることができないので、本実施形態では、複数のＬＥＤ３１を使用し、また、これらを睫毛Ｍの配列方向に沿うように配置し、さらに、保持部材３２の内面３２ａが光を反射するようにすることで、睫毛Ｍを効率よく照射するようにしている。さらに、本実施形態では、各ＬＥＤ３１の表面に集光レンズ３７を取り付けることで、ＬＥＤ３１から発生された光を集光して、さらに、光照射の効率を高めている。
【００６３】
光照射器３０は、上述のように構成されていて、複数のＬＥＤ３１を睫毛Ｍに対向する適宜な位置に配置することができ、しかも、その位置を保持することができるので、いわゆるハンドフリーとなる。さらに、光照射器３０は、足元にスイッチ（不図示）が配置されていて、施術者は、スイッチングを足で行うことができるようになっている。このため施術者は、光照射器３０の操作には、全く手を使う必要がなく、施術者は、上述のように、両手でそれぞれ別のピンセットを持って、塗布工程Ｓ１、載置工程Ｓ２に専念することができる。
【００６４】
本実施形態では、睫毛Ｍと人工毛１０との間にあるグルー２０に対して、光照射器３０によって数秒単位といった、従来と比較して極めて短時間の光照射を行うことで、グルー２０中の光硬化剤を硬化させて、グルー２０全体を固化させることが可能である。
【００６５】
人の睫毛Ｍは、片目で１００本程度あるといわれているが、例えば、３０本の睫毛Ｍに対して、上述の塗布工程Ｓ１、載置工程Ｓ２、光照射工程Ｓ３を繰り返すことで、全体として数分で施術を完了することができる。
【００６６】
なお、光照射器３０としては、上述のものに限らず、例えば、施術者が手で持つペンライト型のもの等を使用するようにしてもよい。また、ＬＥＤ３１は、十分な光量を得ることができれば、複数に限らず１個でもよいのはもちろんである。
【００６７】
後工程Ｓ４は、最後の睫毛Ｍに対する光照射工程Ｓ３が終了した後に、被施術者の顔から保護マスクＫを外し、さらに、テープＴ１，Ｔ２を剥がす工程である。
【符号の説明】
【００６８】
１０  人工毛
２０  グルー
３０  光照射器
３１  ＬＥＤ
３２  保持部材
３６  支持部材
３７  集光レンズ
Ｍ，Ｍ１，Ｍ２，Ｍ３  睫毛
Ｓ０  前工程
Ｓ１  塗布工程
Ｓ２  載置工程
Ｓ３  光照射工程
Ｓ４  後工程
【図１】
2011087658.tif 000003
【図２】
2011087658.tif 000004
【図３】
2011087658.tif 000005
【図４】
2011087658.tif 000006